(57)【要約】【課題】箱を把持したときの滑りやすさを低減するとともに、変形しにくい衛生用紙収納箱を提供する。【解決手段】紙製収納箱の内部に衛生用紙を収納する衛生用紙収納箱１０であって、少なくとも一面１に、該面の一側辺に平行に伸びる複数の罫線Ｋを備えることを特徴とする衛生用紙収納箱１０。【選択図】図１
2016108041.tif 000002
【特許請求の範囲】
【請求項１】
紙製収納箱の内部に衛生用紙を収納する衛生用紙収納箱であって、
前記衛生用紙収納箱の少なくとも一面に、該面の一側辺に平行に伸びる複数の罫線を備えることを特徴とする衛生用紙収納箱。
【請求項２】
前記罫線は、前記一側辺に直交する方向に所定間隔で配置されていることを特徴とする請求項１に記載の衛生用紙収納箱。
【請求項３】
前記衛生用紙収納箱は、略直方体形状であり、前記複数の罫線は前記衛生用紙収納箱の長手方向に沿って伸びることを特徴とする請求項１または２に記載の衛生用紙収納箱。
【請求項４】
前記複数の罫線は、前記衛生用紙収納箱のすべての面に形成されていることを特徴とする請求項１ないし３のいずれかに記載の衛生用紙収納箱。
【請求項５】
前記罫線は、前記衛生用紙形成箱の裏面から表面に向かって突出することを特徴とする請求項１ないし４のいずれかに記載の衛生用紙収納箱。
【請求項６】
前記衛生用紙収納箱の前記側辺は、前記衛生用紙収納箱の表面から裏面に向かって凹む折り曲げ線で折り曲げられることによって形成されていることを特徴とする請求項１ないし５のいずれかに記載の衛生用紙収納箱。
【請求項７】
前記折り曲げ線と該折り曲げ線に隣接する前記罫線との間の間隔は、５．０ｍｍ以上であることを特徴とする請求項６に記載の衛生用紙収納箱。
【発明の詳細な説明】
【技術分野】
【０００１】
本発明は、ティシュペーパー等の衛生用紙を収納する紙製収納箱に関する。
【背景技術】
【０００２】
ティシュペーパーやペーパータオル等の衛生用紙を収納した紙製の収納箱は、家庭、医療現場等、様々なところで日常的に使用されている。紙製の衛生用紙収納箱は、軽く、片手で持てるという持ち運びやすさから、一定箇所に設置して使用されるだけでなく、使用に応じていろいろな場所に持ち運んで使用されることも多い。したがって、衛生用紙収納箱には持ちやすさと耐久性が要求される。
【０００３】
ところで、衛生用紙収納箱は、板紙等の厚紙からなる箱展開シートを各面の境界に形成された折り曲げ線で折り曲げることにより形成されている。この折り曲げ線は、箱展開シートにおいて、箱の表面となる面（以下、「表面」と言う）から箱の裏面となる面（以下、「裏面」と言う）に向かって凹ませた溝である。この折り曲げ線で、シートの表面が箱の外側（表）となるようにシートを折り曲げて、箱は構成される。したがって、完成した箱において、折り曲げ線は、箱の長手方向に伸びる各辺に位置することとなり、この折り曲げ線によって、箱の変形が抑制されている。
【０００４】
また、衛生用紙を取り出すための取り出し口のミシン目など他の部分よりも破損しやすくなっている部分を補強するための罫線を設けたものもある（特許文献１参照。）。
【先行技術文献】
【特許文献】
【０００５】
【特許文献１】特開２００７−２６７９８７号公報
【発明の概要】
【発明が解決しようとする課題】
【０００６】
上述したように、衛生用紙収納箱は、据え置きで使用されるだけでなく、持ち運んで使用者のそばに置いて使用されることも多く、箱が把持される機会も多い。また、最近は、紙質をふんわりとさせたティッシュ等はティシュペーパーボックスの高さが高くなっており、把持する向きによっては指が滑りやすい場合があった。
【０００７】
また、衛生用紙収納箱は、度重なる持ち運び、設置という使用者の行動で、落下による衝撃が加わる可能性がある環境にあり、度重なる落下による衝撃にも変形しづらい強度を有するものが望ましい。
【０００８】
加えて、ティシュペーパーボックスは、小売店でボックス５個を１パックで販売されている。したがって、出荷時の梱包では、図５に示すように、ボックス５個入りパックを１単位として、各ティシュペーパーボックスの長手方向が鉛直方向になるように立てて段ボール箱に６パック入れられる。さらにその上で同じように並べた６パックを入れた１２パックで１箱の梱包となっている。この１２パック入りの段ボール箱は、倉庫では、１パレットに１段９個で３段から４段積み重ねられて保管されている。したがって、例えば３段積みの場合、最下段の段ボール箱には、上２段分の重みが荷重として加わることになる。結果として、段ボール箱内のティシュペーパーボックスには、長手方向に荷重が加わることになる。長期にわたる倉庫でのティシュペーパーボックスの保管では、積載荷重によって、下段の段ボール箱ほど胴膨れ状態となりやすく、段ボール箱による保護が低下する場合があった。下段に位置するティシュペーパーボックスは、段ボール箱の変形に伴い変形し、商品価値が低下する場合があった。このような事態を避けるために、パレットに積載する段ボール箱の段数を減らしたりして、倉庫を効率的に使用できない状況もあった。
【０００９】
本発明は、このような問題に鑑みて、箱を把持したときの滑りやすさを低減するとともに、変形しにくい衛生用紙収納箱を提供することを課題とする。
【課題を解決するための手段】
【００１０】
本発明の衛生用紙収納箱は、紙製収納箱の内部に衛生用紙を収納する衛生用紙収納箱であって、前記衛生用紙収納箱の少なくとも一面に、該面の一側辺に平行に伸びるとともに、前記一側辺に直交する方向に所定間隔で配置された複数の罫線を備えることを特徴とする。
【００１１】
また、前記衛生用紙収納箱は、略直方体形状であり、前記複数の罫線は前記衛生用紙収納箱の長手方向に沿って伸びるものであってもよい。
【００１２】
また、前記複数の罫線は、前記衛生用紙収納箱のすべての面に形成されていてもよい。
【００１３】
また、前記罫線は、前記衛生用紙形成箱の裏面から表面に向かって突出するものであってもよい。
【００１４】
また、前記衛生用紙収納箱の前記側辺は、前記衛生用紙収納箱の表面から裏面に向かって凹む折り曲げ線で折り曲げられることによって形成されているものであってもよい。
【００１５】
また、前記折り曲げ線と該折り曲げ線に隣接する前記罫線との間の間隔は、５．０ｍｍ以上であるものであってもよい。
【発明の効果】
【００１６】
本発明の衛生用紙収納箱は、箱の少なくとも一面に、該面の一側辺に平行に伸びるとともに、前記一側辺に直交する方向に所定間隔で配置された複数の罫線を設けることにより、箱を把持したときの滑りやすさを低減するとともに、罫線の伸びる方向の箱強度を増すことができるため、箱が変形しにくくなる。
【図面の簡単な説明】
【００１７】
【図１】本発明の実施形態の衛生用紙収納箱を示す斜視図である。
【図２】図１の衛生用紙収納箱の展開シートを示す上面図である。
【図３】図２のＩＩＩ−ＩＩＩ線断面図である。
【図４】本発明の他の実施形態の衛生用紙収納箱の展開シートを示す上面図である。
【図５】複数の衛生用紙収納箱を梱包した段ボール箱を示す透過斜視図である。
【発明を実施するための形態】
【００１８】
本発明の衛生用紙収納箱の一実施形態として、ティシュペーパーボックス（以下、「ボックス」とも言う）を説明する。本発明は、ティシュペーパーボックスに限らず、ペーパータオルボックスなど、紙製の衛生用紙収納箱全般に適用可能である。
【００１９】
図１は、本実施形態の衛生用紙収納箱を示す斜視図である。
【００２０】
図２は、図１の衛生用紙収納箱を組み立てる前の展開シートを示す上面図である。
【００２１】
衛生用紙収納箱１０は、略直方体であり、天面板（以下、「天面」とも言う）１とこれに対峙する底面板（以下、「底面」とも言う）２と、天面板１の長手方向側辺につながる第１側面板（以下、「第１側面」とも言う）３、天面板１と底面板２との間に位置し両者の長手方向側辺につながる第２側面板（以下、「第２側面」とも言う）４とによって長手方向の各面を形成している。すなわち、展開シート１０ａにおいて、第１側面板３、天面板１、第２側面板４、底面板２の順に並び、底面板２における第２側面板４側と反対側に設けられた糊しろ９が第１側面板３と接合され、箱１０の天面、底面、側面が形成される。そして、第１側面板３の短手方向側辺から伸びる内フラップ７と、第２側面板４の短手方向側辺から伸びる内フラップ８とを折り曲げる。さらに、天面板１の短手方向側辺から伸びる第１端面板５と、底面板２の短手方向側辺から伸びる第２端面板６とを、前記内フラップ７，８の上に重ねて折り曲げられて、端面が形成される。また、天面１の中央には、箱１０内部のティシュペーパーを取り出すための取り出し口を形成するミシン目１１が設けられている。
【００２２】
そして、第１側面板３、天面板１、第２側面板３、底面板４、糊しろ９それぞれの境界には、折り曲げ線であるスコア線が形成されている。箱１０を組み立てた際に、箱１０の長手方向の側辺となる天面板１と第１側面板３との境界には、スコア線Ｓ１が形成されている。そして、天面板１と第２側面板４との境界には、スコア線Ｓ２が形成されている。また、第２側面板４と底面板２との境界には、スコア線Ｓ３が形成されている。さらに、底面板２と糊しろ９との境界にはスコア線Ｓ４が形成されている。
【００２３】
図３に示すように、スコア線Ｓ１、Ｓ２、Ｓ３、Ｓ４は、箱１０を組み立てた際に、表面からわずかに凹んだ状態となるように、箱１０の表面から裏面に向かって凹まされた溝となっている。したがって、箱１０を組み立てた際にスコア線Ｓ１、Ｓ２、Ｓ３、Ｓ４が位置する角は箱内側に凹んだ状態となる。
【００２４】
本実施形態の衛生用紙収納箱１０は、箱の側辺となる部分に設けられたスコア線Ｓ１、Ｓ２、Ｓ３、Ｓ４だけでなく、天面１や底面２上に罫線Ｋが設けられている。この罫線Ｋは、スコア線Ｓ１、Ｓ２、Ｓ３、Ｓ４とは逆に、箱１０の裏面から表面に向かって突出している凸部（裏面から見た場合は、表面に向かって凹む溝）であり、天面１と底面２の全面に一定間隔で形成されている。
【００２５】
図１−図３に示すように、罫線Ｋは、天面１および底面２の長手方向に平行に伸びており、各罫線Ｋは一定間隔を空けて形成されている。一つの罫線Ｋの幅Ｌ１は、１．０〜２．０ｍｍほどであり、隣り合う罫線Ｋは、罫線Ｋの幅程度もしくはそれ以上の間隔（５ｍｍ以上２０ｍｍ以下）を空けて配置されている。また、罫線Ｋは、スコア線Ｓ１、Ｓ２、Ｓ３、Ｓ４から５．０ｍｍ〜１０．０ｍｍ離れた位置から形成されている。これは、スコア線Ｓ１、Ｓ２、Ｓ３、Ｓ４と罫線Ｋがあまりに近接していると、箱組み立ての折り曲げにおいて、罫線Ｋで誤って折り曲げられてしまうなど、支障となる可能性があるからである。
【００２６】
完成した箱１０において、天面１と底面２の表面には罫線Ｋによる凸状の線が一定間隔で浮き出ており、触ると、罫線Ｋによる凸部分が認識できる状態となっている。
【００２７】
箱１０を天面１と底面２の一方に親指、他方に残りの指が来るように把持すると、この罫線Ｋが各指に触れることとなり、一定間隔で罫線Ｋが配置されているので、指のすべりを抑制することとなる。したがって、罫線Ｋがないものに比べて落としにくい。また、外観においても、箱１０表面に凹凸が浮き出ることとなるので、美観が向上し、高級感が増す。
【００２８】
なお、罫線Ｋは、箱１０の長手方向に沿って伸びるものだけでなく、短手方向に沿って伸びるもの、両者による格子状など、いずれの形態であってもよい。また、一定間隔に配置するものに限らず、ランダムな配置であってもよい。
【００２９】
加えて、この罫線Ｋの方向によって、箱１０の強度が増す。すなわち、箱１０の長手方向に沿って伸びる罫線であれば、長手方向からの力、例えば、端面５，６に加わる力に対して抗する強度が補強される。そもそも、スコア線Ｓ１、Ｓ２、Ｓ３、Ｓ４は、長手方向からの力に対して抗するため、単に展開シート１０ａから箱１０を組み立てる上での折り曲げ線の役目だけでなく、箱１０の変形を抑制する機能を有する。しかしながら、このスコア線Ｓ１、Ｓ２、Ｓ３、Ｓ４だけでなく、罫線Ｋを設けることによって、さらに、箱１０は長手方向からの力に抗する強度が増すことになる。したがって、倉庫での保管等、長期にわたり長手方向からの荷重が加わる状況においても、箱の変形を抑制することができる。
【００３０】
この罫線Ｋは、箱１０の少なくとも一面に形成されていればよい。しかしながら、罫線Ｋが、天面板１、底面板２だけでなく、第１側面板３、第２側面板４と、箱１０の全面に形成されていれば、いかなる向きにおいても、箱１０を把持する指のすべり止めの効果を期待できる。また、箱１０の強度をさらに増すことができる。罫線Ｋを展開シートの全面に形成する場合においても、スコア線Ｓ１、Ｓ２、Ｓ３、Ｓ４から５．０ｍｍ〜１０．０ｍｍ離れた位置から形成されているのが望ましい。
【００３１】
図４は、箱１０の側面に罫線Ｋを短手方向に沿って形成した場合の展開シートの上面図である。
【００３２】
このように、罫線Ｋは、展開シート１０ｂの側面板３，４のみに、側面板３，４の短手方向に沿って形成されていてもよい。罫線Ｋの幅、間隔、線の突出方向は、図２に示す罫線Ｋと同様で、表面には罫線Ｋによる凸状の線が一定間隔で浮き出るように形成される。この場合、組み立てた箱の底面２から天面１までの高さ方向に、罫線Ｋが伸びることになるので、天面１に加わる力に抗する強度が増すことになる。誤って天面１が押された場合や落下、加えて度重なる把持による力に対しても、箱が変形しにくくなる。
【００３３】
また、天面１、底面２には、図２に示すように、長手方向に沿って罫線Ｋを形成し、側面３、４には、図４に示すように、短手方向に沿って罫線Ｋを形成する形で、箱１０の全面に罫線を形成してもよい。
【００３４】
衛生用紙収納箱１０の各面に、折れ曲がり線（スコア線）とは別に罫線Ｋを設けることにより、箱１０を持ったときにすべりにくくなるとともに、箱１０の強度が増し、つぶれにくくなる。加えて、罫線Ｋは箱表面に浮き出る模様となるので、箱１０に美観を与え、高級感が増すこととなる。
【符号の説明】
【００３５】
１  天面板（天面）
２  底面板（底面）
３  第１側面板（側面）
４  第２側面板（側面）
５  第１端面板
６  第２端面板
７、８  内フラップ
９  糊しろ
１０  衛生用紙収納箱
１０ａ、１０ｂ  展開シート
１１  ミシン目
Ｋ  罫線
Ｓ１、Ｓ２、Ｓ３、Ｓ４  スコア線（折り曲げ線）
【図１】
2016108041.tif 000003
【図２】
2016108041.tif 000004
【図３】
2016108041.tif 000005
【図４】
2016108041.tif 000006
【図５】
2016108041.tif 000007